(57)【要約】【課題】  所定の表示情報を任意に選択し、変更することができ、安価且つ簡易な構造の蓄光型表示具及びこれを備える表示構造体を提供する。【解決手段】  本考案の蓄光型表示具１は、支持板１１と、支持板の表面側に所定の情報が表示されるように配設された蓄光発光体１２とを、備え、蓄光発光体は、可撓性及び透光性を有する樹脂製の筒状部材１２１と、筒状部材の内部に配設され、筒状部材に内部から光を照射するための光源１２３と、を有する。また、本考案の表示構造体２は、本考案の蓄光型表示具１を一対備え、一対の蓄光型表示具が、蓄光型表示具が、蓄光型表示具の各々の支持板１１の他面側が、室内と室外とを仕切る透明部材５を介して対向するように配設されている。【選択図】  図１
0003107090.tif 000002
【実用新案登録請求の範囲】
【請求項１】
支持板と、該支持板の表面側に所定の情報が表示されるように配設された蓄光発光体と、を備える蓄光型表示具において、
前記蓄光発光体は、可撓性及び透光性を有する樹脂製の筒状部材と、該筒状部材の内部に配設され且つ該筒状部材に内側から光を照射するための光源と、を有することを特徴とする蓄光型表示具。
【請求項２】
前記筒状部材が蓄光材を含有する請求項１に記載の蓄光型表示具。
【請求項３】
前記筒状部材の内部に蓄光材が充填されている請求項１又は２に記載の蓄光型表示具。
【請求項４】
前記蓄光材が粉状又は粒状である請求項３に記載の蓄光型表示具。
【請求項５】
前記筒状部材が着色されている請求項１乃至４のうちのいずれか１項に記載の蓄光型表示具。
【請求項６】
前記蓄光発光体を介して前記支持板に対向して配設された透明保護板を更に備える請求項１乃至５のうちのいずれか１項に記載の蓄光型表示具。
【請求項７】
前記蓄光発光体の一部が被覆部材により覆われることで前記表示情報が形成されている請求項１乃至６のうちのいずれか１項に記載の蓄光型表示具。
【請求項８】
前記支持板に形成された複数の貫通孔に前記蓄光発光体が順次挿通されており、該蓄光発光体の一部が該支持板の一面側に配設され、該蓄光発光体の他部が該支持板の他面側に
配設されて、該一面側に前記情報が表示されている請求項１乃至６のうちのいずれか１項に記載の蓄光型表示具。
【請求項９】
複数の前記貫通孔が前記支持板の平面方向に所定間隔で予め形成されている請求項８に記載の蓄光型表示具。
【請求項１０】
前記蓄光発光体が、前記支持板の表面側に形成された溝部に挿設されている請求項１乃至９のいずれか一項に記載の蓄光型表示具。
【請求項１１】
前記光源が発光ダイオードである請求項１乃至１０のうちのいずれか１項に記載の蓄光型表示具。
【請求項１２】
前記筒状部材の内部に、該筒状部材の軸心に沿って更に乱反射部材が配設され、該筒状部材の少なくとも一端側に前記光源が配設された請求項１乃至１１のうちのいずれか1項に記載の蓄光型表示具。
【請求項１３】
前記乱反射部材が樹脂ファイバーからなる請求項１２に記載の蓄光型表示具。
【請求項１４】
複数の前記光源が、前記筒状部材の内部において該筒状部材の軸心に沿って所定間隔で配設されている請求項１乃至１３のうちのいずれか１項に記載の蓄光型表示具。
【請求項１５】
看板、標識、誘導灯、装飾灯又は照明として用いられる請求項１乃至１４のうちのいずれか１項に記載の蓄光型表示具。
【請求項１６】
請求項１乃至１５のうちのいずれか１項に記載の蓄光型表示具を一対備え、
一対の該蓄光型表示具が、該蓄光型表示具の各々の前記支持板の前記他面側が、室内と室外とを仕切る透明部材を介して対向するように配設されていることを特徴とする表示構造体。
【請求項１７】
請求項１乃至１５のうちのいずれか１項に記載の蓄光型表示具を一対備え、
一対の該蓄光型表示具は、該蓄光型表示具の各々の前記支持板の前記他面側が接合されており、一方の該蓄光型表示具の前記支持板の前記表面側が、室内と室外とを仕切る透明部材に対向するように配設されていることを特徴とする表示構造体。
【請求項１８】
請求項１乃至１５のうちのいずれか１項に記載の蓄光型表示具を複数備え、
複数の該蓄光型表示具が、全体として所定の立体形状が形成されるように配設されていることを特徴とする表示構造体。
【請求項１９】
請求項１乃至１５のうちのいずれか１項に記載の蓄光型表示具を複数備え、
複数の該蓄光型表示具が、該蓄光型表示具の各々の前記支持板の前記一面側が所定方向を向き、且つ該蓄光型表示具のそれぞれの前記支持板の平面方向の少なくとも一部が重なるように配設されていることを特徴とする表示構造体。
【考案の詳細な説明】
【技術分野】
【０００１】
本考案は、蓄光型表示具及びこれを用いた表示構造体に関する。更に詳しくは、表示情報を任意に選択し、変更することができ、安価且つ簡易な構造の蓄光型表示具及びこれを用いた表示構造体に関する
【背景技術】
【０００２】
従来の電飾看板等の電飾表示具としては、例えば、所定の表示情報が形成されるように、支持板の表面に、多数の発光ダイオード（ＬＥＤ）又はネオン管等を配設したものが一般に知られている。しかし、上記の従来の電飾表示具では、多数のＬＥＤ及びネオン管等の消費電力が大きく、また、ＬＥＤ及びネオン管が高価であるため、電飾表示具が全体として相当に高価なものになっていた。
更に、上記の従来の電飾表示具では、顧客が製造メーカー等に発注する表示情報のデザイン等を試行錯誤を交えて自由に選択したり、試作したりすることが容易ではなく、一旦発注した表示情報を変更することも困難であった。
【０００３】
また、従来の発光体として、例えば、透光性を有する筒状部材の内部に蓄光層が形成され、蓄光材が充填された蓄光発光体が一般に知られている（例えば、特許文献１及び特許文献２参照。）。このような蓄光発光体を用いれば、多数のＬＥＤ及びネオン管を用いる蓄光型表示具と比べて、消費電力を節約することができ、且つ安価な蓄光型表示具を提供
することができる。しかし、従来の蓄光発光体は、輝度が低く、視認性が不十分であり、残光時間も短い等の理由で、電飾表示具としての用途が限られていた。
【０００４】
【特許文献１】特開２００２−２７００２２号公報
【特許文献２】特開平８−１５２８５８号公報
【考案の開示】
【考案が解決しようとする課題】
【０００５】
本考案は、上記の状況に鑑みてなされたものであり、表示情報を任意に選択し、変更することができ、安価且つ簡易な構造の蓄光型表示具及びこれを用いた表示構造体を提供することを目的とする。また、本考案は、種々の用途において利用することができる蓄光型表示具及びこれを用いた表示構造体を提供することを他の目的とする。
【課題を解決するための手段】
【０００６】
本考案は以下のとおりである。
１．支持板と、該支持板の表面側に所定の情報が表示されるように配設された蓄光発光体と、を備える蓄光型表示具において、前記蓄光発光体は、可撓性及び透光性を有する樹脂製の筒状部材と、該筒状部材の内部に配設され且つ該筒状部材に内側から光を照射するための光源と、を有することを特徴とする蓄光型表示具。
２．前記筒状部材が蓄光材を含有する上記１．に記載の蓄光型表示具。
３．前記筒状部材の内部に蓄光材が充填されている上記１．又は２．に記載の蓄光型表示具。
４．前記蓄光材が粉状又は粒状である上記３．に記載の蓄光型表示具。
５．前記筒状部材が着色されている上記１．乃至４．のうちのいずれか１項に記載の蓄光型表示具。
６．前記蓄光発光体を介して前記支持板に対向して配設された透明保護板を更に備える上記１．乃至５．のうちのいずれか１項に記載の蓄光型表示具。
７．前記蓄光発光体の一部が被覆部材により覆われることで前記表示情報が形成されている上記１．乃至６．のうちのいずれか１項に記載の蓄光型表示具。
８．前記支持板に形成された複数の貫通孔に前記蓄光発光体が順次挿通されており、該蓄光発光体の一部が該支持板の一面側に配設され、該蓄光発光体の他部が該支持板の他面側に配設されて、該一面側に前記情報が表示されている上記１．乃至６．のうちのいずれか１項に記載の蓄光型表示具。
９．複数の前記貫通孔が前記支持板の平面方向に所定間隔で予め形成されている上記８．に記載の蓄光型表示具。
１０．前記蓄光発光体が、前記支持板の表面側に形成された溝部に挿設されている上記１．乃至９．のいずれか一項に記載の蓄光型表示具。
１１．前記光源が発光ダイオードである上記１．乃至１０．のうちのいずれか１項に記載の蓄光型表示具。
１２．前記筒状部材の内部に、該筒状部材の軸心に沿って更に乱反射部材が配設され、該筒状部材の少なくとも一端側に前記光源が配設された上記１．乃至１１．のうちのいずれか1項に記載の蓄光型表示具。
１３．前記乱反射部材が樹脂ファイバーからなる上記１２．に記載の蓄光型表示具。
１４．複数の前記光源が、前記筒状部材の内部において該筒状部材の軸心に沿って所定間隔で配設されている上記１．乃至１３．のうちのいずれか１項に記載の蓄光型表示具。
１５．看板、標識、誘導灯、装飾灯又は照明として用いられる上記１．乃至１４．のうちのいずれか１項に記載の蓄光型表示具。
１６．上記１．乃至１５．のうちのいずれか１項に記載の蓄光型表示具を一対備え、
一対の該蓄光型表示具が、該蓄光型表示具の各々の前記支持板の前記他面側が、室内と室外とを仕切る透明部材を介して対向するように配設されていることを特徴とする表示構造体。
１７．上記１．乃至１５．のうちのいずれか１項に記載の蓄光型表示具を一対備え、
一対の該蓄光型表示具は、該蓄光型表示具の各々の前記支持板の前記他面側が接合されており、一方の該蓄光型表示具の前記支持板の前記表面側が、室内と室外とを仕切る透明部材に対向するように配設されていることを特徴とする表示構造体。
１８．上記１．乃至１５．のうちのいずれか１項に記載の蓄光型表示具を複数備え、
複数の該蓄光型表示具が、全体として所定の立体形状が形成されるように配設されていることを特徴とする表示構造体。
１９．上記１．乃至１５．のうちのいずれか１項に記載の蓄光型表示具を複数備え、
複数の該蓄光型表示具が、該蓄光型表示具の各々の前記支持板の前記一面側が所定方向を向き、且つ該蓄光型表示具のそれぞれの前記支持板の平面方向の少なくとも一部が重なるように配設されていることを特徴とする表示構造体。
【考案の効果】
【０００７】
本考案の蓄光型表示具によれば、蓄光発光体を用いているので消費電力が少なく、安価であって且つ簡易な構造とすることができる。また、可撓性を有する蓄光発光体を支持板に対して自在に配設することができ、表示情報を任意に選択し、変更することができる。
また、筒状部材が蓄光材を含有する場合は、発光効率のよい蓄光型表示具とすることができる。
更に、筒状部材の内部に蓄光材が充填されている場合は、蓄光発光体の輝度が高く、且つ残光時間も長く、種々の用途において用いることができる蓄光型表示具とすることができる。
また、蓄光材が粉状又は粒状である場合は、より残光時間が長い蓄光型表示具とすることができる。
更に、筒状部材が着色されている場合は、種々の発光色を選択することができ、より意匠性の高い蓄光型表示具とすることができる。
また、蓄光発光体を介して支持板に対向して配設された透明保護板を更に備える場合は、優れた耐候性及び耐久性を有する蓄光型表示具とすることができる。
更に、蓄光発光体の一部が被覆部材により覆われることで表示情報が形成されている場合は、より意匠性に優れた表示情報を形成することができる蓄光型表示具とすることができる。
また、支持板に形成された複数の貫通孔に蓄光発光体が順次挿通されており、蓄光発光体の一部が支持板の一面側に配設され、蓄光発光体の他部が支持板の他面側に配設されて、一面側に情報が表示されている場合も、より意匠性に優れた表示情報を形成することができる蓄光型表示具とすることができる。
更に、複数の貫通孔が支持板の平面方向に所定間隔で予め形成されている場合は、意匠性に優れた表示情報をより簡易に形成し得る蓄光型表示具とすることができる。
また、前記蓄光発光体が、前記支持板の表面側に形成された溝部に挿設されている場合は、より意匠性を向上させることができる。
また、光源が発光ダイオードである場合は、より安価且つ簡易な構造な蓄光型表示具とすることができる。
更に、筒状部材の内部に、筒状部材の軸心に沿って更に乱反射部材が配設され、筒状部材の少なくとも一端側に光源が配設された場合は、光源の数を必要最小限とし、且つ十分な輝度及び残光時間を有する蓄光型表示具とすることができる。
また、乱反射部材が樹脂ファイバーからなる場合は、より安価且つ簡易な構造の蓄光型表示具とすることができる。
更に、複数の光源が、筒状部材の内部において筒状部材の軸心に沿って所定間隔で配設されている場合は、輝度がより高く、且つ残光時間がより長い蓄光型表示具とすることができる。
また、看板、標識、誘導灯、装飾灯又は照明として用いられる場合は、各々の用途において十分な発光機能を有する蓄光型表示具とすることができる。
一対の該蓄光型表示具が、蓄光型表示具の各々の支持板の他面側が、室内と室外とを仕切る透明部材を介して対向するように配設されている本考案の表示構造体によれば、室内からも室外からも表示情報を視認することができる。
一対の該蓄光型表示具は、該蓄光型表示具の各々の前記支持板の前記他面側が接合されており、一方の該蓄光型表示具の前記支持板の前記表面側が、室内と室外とを仕切る透明部材に対向するように配設されている本考案の他の表示構造体によれば、室内からも室外からも表示情報を視認することができる。
複数の蓄光型表示具が、全体として所定の立体形状が形成されるように配設されている本考案の他の表示構造体によれば、多くの方向から表示情報を視認することができ、また、意匠性を向上させることもできる。
複数の蓄光型表示具が、蓄光型表示具の各々の支持板の一面側が所定方向を向き、且つ蓄光型表示具のそれぞれの支持板の平面方向の少なくとも一部が重なるように配設されている本考案の更に他の表示構造体によれば、表示情報を重ねて表示させることができ、意匠性を向上させることもできる。
【考案を実施するための最良の形態】
【０００８】
以下、本考案を詳しく説明する。
［１］蓄光型表示具
本考案の蓄光型表示具は、以下に記載される支持板及び蓄光発光体を備える。この蓄光型表示具は、例えば、後記の透明保護板を更に備えていてもよい。
上記「支持板」は、蓄光発光体を支持することができる限り、その形状、寸法、材質等は特に限定されない。この支持板の形状としては、例えば、平板状、湾曲板状、波板状、筒状及び異形板状等が挙げられる。また、この支持板の材質としては、例えば、木材、合成樹脂、ガラス及び金属等が挙げられる。更に、この支持板の表面には、例えば、背景色及び模様等が付設されていてもよい。
【０００９】
上記「蓄光発光体」は、支持板の表面側に所定の表示情報が形成されるように配設される。この蓄光発光体の配設形態としては、例えば、（１）支持板の表面に蓄光発光体を接着剤等により接合して配設する形態、（２）支持板の表面に設けられたクリップ等の保持具により蓄光発光体を保持して配設する形態、（３）支持板と後記の透明保護板との間に蓄光発光体を圧接させて配設する形態、（４）支持板の表面側に形成された溝部に挿設されている形態、等のうちの１種又は２種以上の組み合わせが挙げられる。更に上記（２）の配設形態の場合、保持具は透明性の高いものであることが好ましい。
尚、上記「表示情報」は、通常、文字及び／又は図柄からなる情報であり、その内容等は蓄光型表示具の目的、用途等によって適宜設定することができる。
【００１０】
上記「透明保護板」は、蓄光発光体を介して支持板に対向して配設されている限り、その形状、寸法、材質等は特に限定されない。この透明保護板は、例えば、支持板と実質的に同じ形状及び寸法とすることができる。また、この透明保護板の材質としては、例えば、ガラス及びアクリル樹脂、ポリカーボネート等の透明性の高い合成樹脂等が挙げられる。
【００１１】
ここで、表示情報を形成する際、一筆文字のように形成してもよいが、意匠性を向上させるために、（１）蓄光発光体の一部が被覆部材により覆われて表示情報が形成される形態、（２）支持板に形成された複数の貫通孔に蓄光発光体が順次挿通され、蓄光発光体の一部が支持板の一面側に、蓄光発光体の他部が支持板の他面側に配設されて、支持板の一面側に表示情報が形成される形態、のうちの１種又は２種の組み合わせであることが好ましい。
上記（１）の形態の場合、被覆部材は蓄光発光体の一部を覆うことができる限り、その形状、寸法、材質等は特に限定されないが、より意匠性を高めることができるという観点から、被覆部材が支持板と同じ色調であり、また、模様等も同じ構成であることが好ましい。
上記（２）の形態の場合、より簡易に表示情報を形成し得るという観点から、貫通孔が支持板の平面方向に所定間隔で予め形成されていることが好ましい。この貫通孔の開口径及び個数等は、形成される表示情報により設定すればよく特に限定されない。更に、この貫通孔は、例えば、支持板の平面方向において等間隔で形成されていてもよく、等間隔でなくてもよく、一部が等間隔で他部は等間隔でなくてもよい。
【００１２】
上記蓄光発光体は、以下に記載の筒状部材及び光源を有している。
上記「筒状部材」は樹脂製であり、蓄光材を有し、且つ可撓性及び透光性を備えている限り、その形状、寸法（長さ、直径、厚さ等）などは目的、用途等により設定すればよく特に限定されない。樹脂としては、例えば、軟質塩化ビニル等の柔軟性に優れるものが挙げられる。また、蓄光材としては、例えば、ＳｒＡｌ２Ｏ４、ＣａＡｌ２Ｏ４等の母材にユーロピウム（Ｅｕ）、ニオブ（Ｎｂ）、ランタン（Ｌａ）等の賦活材を配合したもの等が挙げられる。
蓄光材は樹脂に配合しておき、この樹脂を用いて筒状部材を成形することで、筒状部材に含有させることができる。更に、筒状部材の内部に、例えば、粉状又は粒状等の蓄光材が充填されていてもよい。また、蓄光材は、筒状部材に含有され、且つその内部に充填されていてもよい。尚、筒状部材は、例えば、着色材を含有する樹脂を用いて成形され、所定の色調に着色されたものであってもよい。
【００１３】
上記「光源」は、筒状部材に内部から光を照射することができる限り、その種類、個数、配設形態等は特に限定されない。また、より安価且つ簡易な構成とすることができるという観点から、光源はＬＥＤであることが好ましい。この光源の配設形態としては、例えば、（１）筒状部材の軸心方向の一端側にのみ配設されている形態、（２）筒状部材の軸心方向の両端側に配設されている形態、（３）筒状部材の内部に軸心に沿って所定間隔で複数個配設されている形態、等が挙げられる。上記（１）、（２）及び（３）の形態のうちのいずれにするかは、目的、用途等によって選択することができる。
【００１４】
蓄光発光体は、例えば、筒状部材の内部で筒状部材の軸心に沿って配設された乱反射部材を更に有し、光源が、筒状部材の軸心方向の少なくとも一端側に設けられ、乱反射部材によって光源から照射される光が乱反射される構造とすることができる。この乱反射部材としては、例えば、樹脂ファイバー等が挙げられる。
【００１５】
［２］表示構造体
本考案の表示構造体は、上記の蓄光型表示具を用いたものであり、以下の（１）〜（３）の形態等が挙げられる。
（１）蓄光型表示具を一対備え、この一対の蓄光型表示具を、各々の支持板の他面側が室内及び室外を仕切る透明部材を介して対向するように配設してなる形態、
（２）蓄光型表示具を一対備え、この一対の蓄光型表示具を、各々の支持板の他面側が接合されており、一方の蓄光型表示具の支持板の表面側が、室内と室外とを仕切る透明部材に対向するように配設してなる形態、
（３）蓄光型表示具を複数備え、複数の蓄光型表示具を、全体として所定の立体形状をなすように配設してなる形態、
（４）蓄光型表示具を複数備え、複数の蓄光型表示具を、各々の支持部の一面側が所定方向を向き、且つそれぞれの支持板の平面方向の少なくとも一部が重なるように配設してなる形態、等とすることができる。
上記（１）（２）における透明部材としては、ガラス板、アクリル樹脂、ポリカーボネート等の透明性に優れる樹脂からなる板状体等が挙げられる。
【実施例】
【００１６】
以下、実施例により本考案を具体的に説明する。
実施例１
（１）蓄光型表示具の構成
この実施例１の蓄光型表示具１は、図１及び図２のように、平板状で木製の支持板１１と、蓄光発光体１２と、この蓄光発光体１２を介して支持板１１に対向して配設されたガラス製の透明保護板１３と、を備える。
【００１７】
蓄光発光体１２は、所定の表示情報（この実施例１では「○×△」を表示している。）を形成するように、支持板１１の表面に接着剤により接合されている。また、この蓄光発光体１２の一部は、所定形状の被覆部材１４で覆われている。この被覆部材１４は、支持板１１と同じ色調であり、且つ同じ模様を有している。
【００１８】
蓄光発光体１２は、図３及び図４のように、蓄光材（例えば、ＳｒＡｌ２Ｏ４、Ｅｕ等）及び着色材が練り込まれ、可撓性及び透光性を有する塩化ビニル製の筒状部材１２１を備える。更に、この筒状部材１２１の内部には、粉状の蓄光材（例えば、ＳｒＡｌ２Ｏ４、Ｅｕ等）１２２が充填されている。また、この筒状部材１２１の軸心方向の一端側には、太陽電池及び蓄電池等によって、所定波長（例えば、３９５ｎｍ）の紫外線を照射することができるＬＥＤ１２３（本考案における「光源」である。）が配設されている。更に、筒状部材１２１の他端側には、端面と略同じ大きさの反射板１２４が配設されている。また、筒状部材１２１の内部には、その軸心に沿って樹脂ファイバーからなる乱反射部材１２５が配設されている。
【００１９】
（２）実施例１の作用
上記の構成を備える蓄光型表示具１では、ＬＥＤ１２３から照射される紫外線が乱反射部材１２５及び反射板１２４によって乱反射される。その結果、粉状の蓄光材１２２及び筒状部材１２１が大量の紫外光を受けて高い励起状態となり、粉状の蓄光材１２２及び筒状部材１２１は、筒状部材１２１の軸心方向に沿って一様に十分な輝度及び残光時間でもって発光する。尚、この発光は、筒状部材１２１の色調及び筒状部材１２１に含有される着色材に応じた発光色となる。
【００２０】
（３）実施例１の効果
実施例１では、蓄光発光体１２を用いているので、従来のように多数のＬＥＤやネオン管を用いるものに比べて、極めて安価且つ簡易な構造とすることができ、消費電力を少なくすることもできる。更に、支持板１１に対して可撓性を有する蓄光発光体１２を自在に配設することができる。その結果、顧客が表示情報を試行錯誤を交えて自由に選択することができ、一旦形成された表示情報を後日変更することもできる。
また、この実施例１では、透明保護板１３を更に備えているため、蓄光発光体１２が周囲の環境から保護され、耐候性及び耐久性を向上させることができる。
更に、この実施例１では、被覆部材１４によって蓄光発光体１２の一部（表示情報が形成されない部分）が覆い隠され、より意匠性に優れた表示情報とすることができる。
また、この実施例１では、蓄光材を練り込んでなる樹脂製の筒状部材１２１の内部に、粉状の蓄光材１２２が充填されているため、筒状部材１２１及び粉状の蓄光材１２２によって、輝度が高く、且つ残光時間が長い発光とすることができ、蓄光型表示具１として種々の用途において用いることができる。更に、粉状の蓄光材１２２は流動し得るため、蓄光発光体１２の可撓性（曲げ性）が低下しない。
また、この実施例１では、筒状部材１２１が、着色材を含有する樹脂製であるため、着色材に応じた種々の色調の発光色で発光させることができる。
更に、この実施例１では、筒状部材１２１の軸心に沿って乱反射部材１２５を配設したため、ＬＥＤ１２３の使用数が必要最小限（１個）であるにもかかわらず、必要十分な輝度及び残光時間の発光とすることができる。
【００２１】
実施例２
この実施例２では、実施例１と同様な構成部分には同じ符号を付して詳しい記載は省略する。
（１）蓄光型表示具の構成
この実施例２の蓄光型表示具１Ａは、図５及び図６のように、支持板１１Ａと、蓄光発光体１２と、透明保護板１３と、を備える。この支持板１１Ａには表裏に貫通する複数の貫通孔１１１Ａが形成されている。また、この貫通孔１１１Ａに蓄光発光体１２が挿通され、この蓄光発光体１２の一部が支持板１１Ａの一面側に配設されて所定の表示情報が形成されている。
【００２２】
（２）実施例２の作用及び効果
この実施例２では、実施例１と略同様の効果が奏されるとともに、支持板１１Ａに貫通孔１１１Ａを形成し、この貫通孔１１１Ａを介して蓄光発光体１２の一部（表示情報が形成されない部分）を、支持板１１Ａの他面側に隠すことができ、より意匠性に優れた表示情報を形成することができる。
【００２３】
実施例３
この実施例３では、実施例１と同様な構成部分には同じ符号を付して詳しい記載は省略する。
（１）蓄光型表示具の構成
この実施例３の蓄光型表示具１Ｂは、図７及び図８のように、支持板１１Ｂと、蓄光発光体１２と、透明保護板１３と、を備える。この支持板１１Ｂには、表裏に貫通する複数の貫通孔１１１Ｂが平面方向に等間隔で予め形成されている。更に、所定の貫通孔１１１Ｂに蓄光発光体１２が挿通され、この蓄光発光体１２の一部が支持板１１Ｂの他面側に配設され、支持板１１Ｂの一面側に所定の表示情報が形成されている。
【００２４】
（２）実施例３の作用及び効果
この実施例３によれば、実施例１と略同様の効果が奏されるとともに、支持板１１Ｂに予め多数の貫通孔１１１Ｂが設けられており、それらのうちの所定の貫通孔１１１Ｂを介して蓄光発光体１２の一部（表示情報が形成されない部分）を支持板１１Ｂの他面側に容易且つ迅速に隠すことができ、より意匠性に優れた表示情報を形成することができる。
【００２５】
以下、実施例１〜３の蓄光型表示具１（１Ａ、１Ｂ）を用いた表示構造体について説明する。
表示構造体２は、図１５のように、前記の蓄光型表示具１（１Ａ、１Ｂ）を一対備え、一対の蓄光型表示具１（１Ａ、１Ｂ）が、各々の支持板１１（１１Ａ，１１Ｂ）の他面側が室内及び室外を仕切る透明部材５（ガラス部５）を介して対向するように配設されている。これにより、室内側及び室外側のいずれからも表示情報を視認することができる。
また、表示構造体２’は、図２２のように、前記の蓄光型表示具１（１Ａ、１Ｂ）を一対備え、一対の蓄光型表示具１（１Ａ、１Ｂ）が、各々の支持板１１（１１Ａ，１１Ｂ）の他面側が接合されており、一方の蓄光型表示具１（１Ａ、１Ｂ）の支持板１１（１１Ａ、１１Ｂ）の表面側が、室内と室外とを仕切る透明部材５（ガラス部５）に対向するように配設されている。これにより、室内側及び室外側のいずれからも表示情報を視認することができる。
また、表示構造体３は、図１６のように、前記の蓄光型表示具１（１Ａ、１Ｂ）を４個備え、これらの４個の蓄光型表示具１（１Ａ、１Ｂ）が、全体として直方体の外観が形成されるように配設されている。これにより、多方向から表示情報を視認することができ、且つ全体の意匠性を向上させることもできる。
更に、表示構造体４は、図１７及び図１８のように、前記の蓄光型表示具１（１Ａ、１Ｂ）を３個備え、これらの３個の蓄光型表示具１（１Ａ、１Ｂ）が、それぞれの支持板１１（１１Ａ、１１Ｂ）の一面側が所定方向を向き、且つ各々の支持板１１（１１Ａ、１１Ｂ）の平面方向の一部が重なるように配設されている。これにより、表示情報を重ねて表示することができ、意匠性を向上させることができる。尚、この場合、最も後端側の蓄光型表示具の支持板以外は透明である。
【００２６】
尚、本考案は、上記の実施例の記載に限定されず、目的、用途等に応じて本考案の範囲内で適宜変更した実施例とすることができる。例えば、実施例１〜３の蓄光型表示具１（１Ａ、１Ｂ）の用途としては、店舗の看板（図９参照）、交通標識（図１０参照）、非難標識（図１１参照）、道路誘導灯（図１２参照）、室内装飾灯（図１３参照）及び提灯型照明（図１４参照）等が挙げられる。
【００２７】
また、実施例１〜３では、筒状部材１２１の軸心方向の一端側のみにＬＥＤ１２３を配設して蓄光発光体を構成したが、これに限定されず、例えば、筒状部材１２１の軸心方向の両端側のそれぞれにＬＥＤ１２３を配設してもよく、図１９のように、筒状部材１２１の内部に、その軸心に沿って所定間隔で複数のＬＥＤ１２３を配設してもよい。
更に、実施例１〜３では、筒状部材１２１の内部に粉状の蓄光材１２２を充填して蓄光発光体１２を構成しているが、これに限定されず、例えば、図１９及び図２０のように、筒状部材１２１の内周面に、蓄光材を塗布、印刷等して、蓄光材からなるフィルム状部材６を設けてもよい。また、図２１のように、筒状部材１２１の内部に蓄光材を充填せず、又は蓄光材からなるフィルム状部材６を設けないようにしてもよい。
また、実施例１〜３では、蓄光発光体を支持板の表面に接着するようにしたが、これに限定されず、例えば、図２２に示すように、支持板１１（１１Ａ，１１Ｂ）に形成された溝部ｄ内に挿設するようにしてもよい。
更に、実施例１〜３では、１本の蓄光発光体により所定に情報を形成するようにしたが、これに限定されず、複数の蓄光発光体により所定の情報を形成することもできる。この場合、各々の蓄光発光体の発光色を異なる色に設定しておけば色彩豊かな情報を表示することができる。
【産業上の利用可能性】
【００２８】
本考案は、看板、標識、誘導灯、装飾灯、又は照明として用いられる表示具として好適に用いられる。
【図面の簡単な説明】
【００２９】
【図１】実施例１の蓄光型表示具の正面図である。
【図２】図１のＩＩ−ＩＩ線断面拡大図である。
【図３】実施例１の蓄光発光体の縦断面図である。
【図４】図３のＩＶ−ＩＶ線断面図である。
【図５】実施例２の蓄光型表示具の正面図である。
【図６】図５のＶＩ−ＶＩ線断面図である。
【図７】実施例３の蓄光型表示具の正面図である。
【図８】図７のＶＩＩＩ−ＶＩＩＩ線断面図である。
【図９】実施例に係る蓄光型表示具の用途例を説明するための説明図である。
【図１０】蓄光型表示具の他の用途例を説明するための説明図である。
【図１１】蓄光型表示具の更に他の用途例を説明するための説明図である。
【図１２】蓄光型表示具の更に他の用途例を説明するための説明図である。
【図１３】蓄光型表示具の更に他の用途例を説明するための説明図である。
【図１４】蓄光型表示具の更に他の用途例を説明するための説明図である。
【図１５】実施例に係る表示構造体を説明するための説明図である。
【図１６】他の形態の表示構造体を説明するための説明図である。
【図１７】更に他の形態の表示構造体を説明するための説明図である。
【図１８】更に他の形態の表示構造体を説明するための説明図である。
【図１９】他の形態の蓄光発光体を説明するための説明図である。
【図２０】図１９のＸ−Ｘ線断面図である。
【図２１】更に他の形態の蓄光発光体を説明するための横断面図である。
【図２２】実施例に係る表示構造体を説明するための説明図である。
【符号の説明】
【００３０】
１，１Ａ，１Ｂ；蓄光型表示具、１１，１１Ａ，１１Ｂ；支持板、１２；蓄光発光体、１２１；筒状部材、１２２；粉状物、１２３；ＬＥＤ、１２５；乱反射部材、１３；透明保護板、１４；被覆部材、２，３，４；表示構造体、５；透明部材（ガラス部）、ｄ；溝部。
【図１】
0003107090.tif 000003
【図２】
0003107090.tif 000004
【図３】
0003107090.tif 000005
【図４】
0003107090.tif 000006
【図５】
0003107090.tif 000007
【図６】
0003107090.tif 000008
【図７】
0003107090.tif 000009
【図８】
0003107090.tif 000010
【図９】
0003107090.tif 000011
【図１０】
0003107090.tif 000012
【図１１】
0003107090.tif 000013
【図１２】
0003107090.tif 000014
【図１３】
0003107090.tif 000015
【図１４】
0003107090.tif 000016
【図１５】
0003107090.tif 000017
【図１６】
0003107090.tif 000018
【図１７】
0003107090.tif 000019
【図１８】
0003107090.tif 000020
【図１９】
0003107090.tif 000021
【図２０】
0003107090.tif 000022
【図２１】
0003107090.tif 000023
【図２２】
0003107090.tif 000024